(57)【特許請求の範囲】
【請求項１】
印刷装置で使用する印刷用紙に応じた、表示装置のカラープロファイルを生成する情報処理装置であって、
それぞれ異なる相関色温度の地色を持つ複数種類の印刷用紙それぞれについて生成された、前記表示装置の表示画像を前記印刷装置の印刷画像にカラーマッチングさせるための、前記表示装置の複数のカラープロファイルを記憶している記憶部から、当該複数のカラープロファイルを取得する第１取得手段と、
前記印刷装置で使用する印刷用紙の地色の相関色温度を取得する第２取得手段と、
前記第１取得手段で取得した複数のカラープロファイルを用いた補間処理により、前記第２取得手段で取得した相関色温度に対応する、前記表示装置のカラープロファイルを算出する第１算出手段と、
を備えることを特徴とする情報処理装置。
【発明の詳細な説明】
【技術分野】
【０００１】
本発明は、表示装置のカラープロファイルを生成する情報処理装置、その制御方法、及びプログラムに関する。
【背景技術】
【０００２】
近年、高画質なデジタルカメラやカラープリンタが普及し、業務用として使われる特殊な分野だけでなく、一般的なオフィスや家庭でも高画質なカラー画像を手軽に扱えるようになった。デジタルカメラの撮像画像をディスプレイなどの表示装置に表示すると共に、この画像をプリンタなどの印刷装置で印刷することを考えると、ディスプレイの表示画像とプリンタの印刷画像との色が合わないという問題がしばしば発生する。この問題を解決するために、様々なカラーマッチング技術が開発されてきている。
【０００３】
ところで、発光物（ディスプレイの表示画像）と反射物(プリンタの印刷画像)とでは、測色的に一致していたとしても、人間の眼には必ずしも同じ色に見えない。そこで、目視により印刷物の紙白と同じに見えるようなディスプレイ表示用のデータを見つけだし、補正パラメータを算出する方法が提案されている（特許文献１参照）。
【０００４】
また、現在、ＩＣＣプロファイルを使ったカラーマネージメントが一般的になってきている。これは、共通の色空間を用いることにより、デバイスごとの色の違いを抑制するものである。各デバイスの色の特性はＩＣＣプロファイルに記述され、デバイスの色空間から共通の色空間へ、或いは共通の色空間からデバイスの色空間へと、色変換が行われる。
【０００５】
また、最近はＩＣＣプロファイルを作成するために必要な測定器やアプリケーションも普及してきており、個人でも比較的容易にディスプレイやプリンタのＩＣＣプロファイルを作成することができる。特に、ディスプレイプロファイル（ディスプレイのためのＩＣＣプロファイル）の作成は、カラーマネージメントの基本であり、重要な作業の１つである。
【０００６】
図１は、ディスプレイプロファイルを作成するアプリケーションにおける一般的な作業の流れを示すフローチャートである。
【０００７】
Ｓ１０１は、ディスプレイキャリブレーションの設定を行うステップである。Ｓ１０１では、これから行うキャリブレーションの目標値を設定する。設定する項目は、白色点、ガンマ値、輝度である。白色点は、一般的には、ディスプレイにおける白色の相関色温度によって設定する。
【０００８】
Ｓ１０２は、測定器のキャリブレーションを行うステップである。一般的には、測定器に付属している白色校正板を使って白色校正を実行することにより、測定器のキャリブレーションを実行する。
【０００９】
Ｓ１０３は、測定器をディスプレイへ設置するステップである。使用している測定器の指示に従い、ディスプレイへ測定器を設置する。
【００１０】
Ｓ１０４は、コントラストの設定を行うステップである。例えばディスプレイ前面の操作パネル、或いはディスプレイの調整用ソフトウェアが表示するユーザインタフェース（ＵＩ）を用いて、コントラストを調整する。まず、ディスプレイのコントラスト設定を１００％に設定し、最明部の白色部分の測定を行う。所望のコントラストになるまで、ディスプレイの測定とコントラストの設定とを繰り返し実行する。
【００１１】
Ｓ１０５は、白色点の設定を行うステップである。Ｓ１０４と同様に、ディスプレイ前面の操作パネル、或いは調整用ソフトウェアのＵＩなどを用いて、ディスプレイの白色部分がＳ１０１で設定した白色点（目標白色点）に近づくように、ディスプレイの設定を変更する。Ｓ１０５におけるディスプレイの設定方法には様々な方法が存在する。例えば、予め用意されている複数の色温度（プリセット値）の中から所望の色温度を選択する方法や、ＲＧＢの各チャネルのゲインを個別に調整する方法などが存在する。
【００１２】
Ｓ１０６は、輝度を調整するステップである。Ｓ１０４と同様に、ディスプレイ前面の操作パネル、或いは調整用ソフトウェアのＵＩなどを用いて、ディスプレイの白色部分がＳ１０１で設定した輝度（目標輝度）になるように、ディスプレイの輝度（明るさ）を調整する。
【００１３】
以上の各ステップにより、ディスプレイキャリブレーションが完了する。
【００１４】
次に、Ｓ１０７は、キャリブレーションされた状態のディスプレイの色を測定するステップである。数十から数百種類の色（カラーパッチ）をディスプレイに表示させ、その色を測定器により測定する。
【００１５】
Ｓ１０８は、Ｓ１０７で測定されたデータに基づいて、ディスプレイプロファイルに記述すべきデータを算出するステップである。ディスプレイプロファイルに記述されるデータとしては、白色のＸＹＺ値、黒色のＸＹＺ値、ＲＧＢ各色のＸＹＺ値、ＲＧＢ各色のトーンカーブなどである。
【００１６】
Ｓ１０９は、Ｓ１０８で算出されたデータをＩＣＣプロファイルの形式で保存するステップである。
【００１７】
なお、Ｓ１０１のディスプレイキャリブレーションにおいて設定する白色点により、ディスプレイの表示色の色味が変化する。前述の通り、白色点の設定は、一般的にはディスプレイの白色の色温度を設定することにより行われる。補助標準イルミナントＤ５０（相関色温度  約５００３Ｋ）は、日本の印刷業界で標準色温度になっており、やや黄色味がかった白色を表す。標準イルミナントＤ６５（相関色温度  約６５０４Ｋ）は、平均的な昼光色に相当する色温度で、やや青みがかった白色を表す。このように設定される白色点の色温度により、ディスプレイの表示色の色味が変化する。現状では、ディスプレイの用途に応じて、白色点の設定を変えることが一般的になっている。
【特許文献１】特開平９−９８３０１号公報号公報
【発明の開示】
【発明が解決しようとする課題】
【００１８】
ＩＣＣプロファイルを使ったカラーマッチングを行う場合、各デバイスの白色を基準とした相対的なマッチングが行われる。ディスプレイとカラープリンタのカラーマッチングを行う場合、ディスプレイの白色点とカラープリンタの印刷用紙の紙白を同じ白色と見なして、それぞれの白色を基準とした相対的な測色値が一致するようなマッチングが行われる。
【００１９】
前述したように、ディスプレイはキャリブレーション時の白色点の設定により、表示色の色味が違って見える。また、プリンタの場合、印刷用紙により紙白の色味は違うため、同じ画像データを印刷しても印刷用紙の紙白が異なれば、印刷画像の色は相対的に異なって見える。通常は、人間の目の順応により白色点の違いは吸収され、ディスプレイの表示色とプリンタの印刷色はほぼ同じ色であると認識されるが、より厳密なカラーマッチングを達成することが望まれる場合も多い。
【００２０】
より厳密なカラーマッチングを達成するためには、印刷用紙の紙白を測定し、その測定値に近い相関色温度を算出して、その相関色温度をディスプレイプロファイル作成時に目標白色点として設定する必要がある。プリンタの印刷用紙は様々なものが用意されており、それぞれの印刷用紙で紙白の測定値は異なる。そのため、使用する印刷用紙を変える度に紙白を測定し、図１に示すようなディスプレイプロファイルの作成処理を行う必要がある。しかしながら、ディスプレイプロファイルの作成処理には多くの手間と長い時間を要するので、ユーザにとって負担になる。
【００２１】
本発明はこのような状況に鑑みてなされたものであり、表示装置と印刷装置とをカラーマッチングさせる際に、使用する印刷用紙に応じた、表示装置のためのカラープロファイルをより容易に得ることを可能にする技術を提供することを目的とする。
【課題を解決するための手段】
【００２２】
上記課題を解決するために、第１の本発明は、印刷装置で使用する印刷用紙に応じた、表示装置のカラープロファイルを生成する情報処理装置であって、それぞれ異なる相関色温度の地色を持つ複数種類の印刷用紙それぞれについて生成された、前記表示装置の表示画像を前記印刷装置の印刷画像にカラーマッチングさせるための、前記表示装置の複数のカラープロファイルを記憶している記憶部から、当該複数のカラープロファイルを取得する第１取得手段と、前記印刷装置で使用する印刷用紙の地色の相関色温度を取得する第２取得手段と、前記第１取得手段で取得した複数のカラープロファイルを用いた補間処理により、前記第２取得手段で取得した相関色温度に対応する、前記表示装置のカラープロファイルを算出する第１算出手段と、を備えることを特徴とする情報処理装置を提供する。
【００２５】
なお、その他の本発明の特徴は、添付図面及び以下の発明を実施するための最良の形態における記載によって更に明らかになるものである。
【発明の効果】
【００２６】
以上の構成により、本発明によれば、表示装置と印刷装置とをカラーマッチングさせる際に、使用する印刷用紙に応じた、表示装置のためのカラープロファイルをより容易に得ることが可能となる。
【発明を実施するための最良の形態】
【００２７】
以下、添付図面を参照して、本発明の実施形態を説明する。以下で説明される個別の実施形態は、本発明の上位概念から下位概念までの種々の概念を理解するために役立つであろう。
【００２８】
なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００２９】
［第１の実施形態］
図２を参照して、本発明の情報処理装置をパーソナルコンピュータ（ＰＣ）に適用した実施形態を説明する。
【００３０】
ＰＣ２０１は、ＣＰＵ２０２、記憶部２０３、メモリ２０４、インタフェース２０５、及び入力部２０６を備える。また、ＰＣ２０１には、インタフェース２０５を介して、印刷装置の一例であるカラープリンタ２０７が接続されている。更に、ＰＣ２０１には、表示装置の一例であるディスプレイ２０８、及び測定器２０９が接続されている。
【００３１】
ＣＰＵ２０２は、記憶部２０３に格納されたプログラムを実行することにより、後述する様々なプロファイル作成処理、画像データの変換処理、及び記憶に関わる処理などを行う。
【００３２】
記憶部２０３は、例えばハードディスクドライブ（ＨＤＤ）を含み、前述のプログラムや、カラープリンタ２０７及びディスプレイ２０８のプロファイル（カラープロファイル）などを記憶する。
【００３３】
メモリ２０４は、プロファイル作成処理や画像データの変換処理などを行う際に、ＣＰＵ２０２のワークエリアとして使用される。メモリ２０４はまた、画像データの一時的な記憶領域としても用いられる。なお、画像データの変換処理などを実行するためのプログラムやデータは、不図示の外部装置などからＰＣ２０１に供給されてもよい。
【００３４】
ユーザは、ディスプレイ２０８を確認しながら、入力部２０６を用いてＰＣ２０１へ各種コマンドを入力する。
【００３５】
測定器２０９は、ディスプレイ２０８の表示画像の色を測定する（測色する）ためのものである。ディスプレイプロファイル（ディスプレイ２０８のカラープロファイル）作成時には、測定器２０９はディスプレイ２０８に取り付けられ、プログラムの指示に従って測色が行われる。
【００３６】
カラープリンタ２０７は、印刷用紙にカラー画像（印刷画像）を印刷可能なプリンタである。
【００３７】
本実施形態では、記憶部２０３は、それぞれ異なる相関色温度の地色を持つ複数種類の印刷用紙に対応する、ディスプレイ２０８の複数のカラープロファイルを記憶している。これらのカラープロファイルは、例えば図１を参照して説明した方法を用いて、ユーザが事前に生成したものである。
【００３８】
具体的には例えば、ユーザは、４０００Ｋ、５０００Ｋ、６５００Ｋ、及び７５００Ｋの相関色温度の地色を持つ、４種類の印刷用紙を用意する。そして、カラープリンタ２０７でそれぞれの印刷用紙を使用する場合について、ディスプレイ２０８の表示画像がカラープリンタ２０７の印刷画像にカラーマッチングするように、ディスプレイ２０８の４つのカラープロファイルを生成する。このとき、例えば、測定器２０９が使用される。
【００３９】
このようにして生成された複数のカラープロファイルは、以下に説明する、印刷用紙に応じたカラープロファイルを生成する処理を実行する際の基準として使用される。
【００４０】
記憶部２０３はまた、上述の複数のカラープロファイルを生成した際の、ディスプレイ２０８の設定情報を、複数のカラープロファイルそれぞれについて記憶している。設定情報は、例えば、図１のＳ１０４乃至Ｓ１０６で設定された、コントラスト、輝度、及びＲＧＢ各色のゲインに関する情報などを含む。
【００４１】
なお、本実施形態で説明するディスプレイプロファイル及びプリンタプロファイルとして、ＩＣＣプロファイルを採用することができる。
【００４２】
図３は、ＰＣ２０１を用いてディスプレイ２０８上で画像データの修正（レタッチなど）を行い、カラープリンタ２０７で印刷する処理の流れを示すフローチャートである。本実施形態では、デジタルカメラなどの撮像装置から取得した画像データをディスプレイ２０８に表示し、必要に応じて画像の修正を行い、カラープリンタ２０７で印刷するものとする。
【００４３】
まず、Ｓ３１で、ＰＣ２０１は、ディスプレイキャリブレーション及びディスプレイプロファイル作成処理を行う。Ｓ３１における処理の詳細は図４及び図５を参照して後述する。
【００４４】
Ｓ３２で、ＰＣ２０１は、入力部２０６を介したユーザの指示に従い、画像の修正を行う。Ｓ３２では、ＰＣ２０１は、ＩＣＣプロファイルによるカラーマネージメント機能を持ったアプリケーションを実行するものとする。ユーザはこのアプリケーションを利用して、画像データをデジタルカメラからＰＣ２０１に入力し、ディスプレイ２０８に表示させ、画像の編集（修正）を行う。
【００４５】
Ｓ３３で、ＰＣ２０１は、入力部２０６を介したユーザの指示に従い、修正された画像データをカラープリンタ２０７へ出力し、カラープリンタ２０７に画像を印刷させる。このとき、上述のアプリケーションは、カラープリンタ２０７で使用する印刷用紙に応じたプリンタプロファイル（プリンタのカラープロファイル）を用いて画像データを変換する。変換された画像データはカラープリンタのプリンタドライバへ渡され、印刷用紙に印刷される。
【００４６】
Ｓ３４で、ユーザは、印刷された画像（印刷画像）が所望のものであるか否か（例えば、所望の色味、サイズ、シャープさで印刷されているか否かなど）を判断し、所望のものであれば本フローチャートの処理は完了する。そうでなければ、Ｓ３２に戻り、ユーザは更に画像を修正する。
【００４７】
次に、Ｓ３１で実行される、ディスプレイキャリブレーション及びディスプレイプロファイル作成処理について、図４及び図５を参照して詳細に説明する。本実施形態において、ユーザは、ディスプレイ２０８の前面のパネル又は調整用ソフトウェアが表示するユーザインタフェース（ＵＩ）を用いて、コントラスト、明るさ（輝度）、及びＲＧＢ各色のゲインを調整できるものとする。
【００４８】
図５は、ＰＣ２０１において、ディスプレイキャリブレーション及びディスプレイプロファイル作成処理を実行する構成要素を示すブロック図である。図５の各ブロックの機能は、専用のハードウェアで実現されてもよいし、ＣＰＵ２０２が記憶部２０３に格納されているプログラムを実行することにより実現されてもよい。或いは、ソフトウェアとハードウェアの組み合わせによって実現されてもよい。
【００４９】
ＰＣ２０１は、プリンタプロファイル入力部５０１、データ格納部５０２、相関色温度算出部５０３、及びキャリブレーション設定値算出部５０４を含む。ＰＣ２０１はまた、プロファイル作成部５０５、プロファイル保存部５０６、及びキャリブレーション設定値表示部５０７を含む。データ格納部５０２は、記憶部２０３に含まれてよい。
【００５０】
図４は、ＰＣ２０１において、カラープリンタ２０７で使用する印刷用紙に応じた、ディスプレイ２０８のカラープロファイルを生成する処理の流れを示すフローチャートである。
【００５１】
Ｓ４０１で、プリンタプロファイル入力部５０１は、プリンタプロファイルを取得する。プリンタプロファイルは、使用するカラープリンタ毎、且つ使用する印刷用紙毎に、データ格納部５０２に格納されている。或いは、プリンタプロファイルは、データ格納部５０２ではなく、カラープリンタ２０７から直接取得されてもよい。Ｓ４０１において、ＰＣ２０１は、図６に示すような画面をディスプレイ２０８に表示させ、ユーザは、プリンタプロファイル設定リスト６１を用いて、所望のプリンタプロファイルを選択することができる。そして、選択されたプリンタプロファイルが、プリンタプロファイル入力部５０１によって取得される。
【００５２】
Ｓ４０２で、相関色温度算出部５０３は、使用する印刷用紙の地色の相関色温度を算出する。相関色温度の算出には、ＣＩＥ１９６０ＵＣＳ色度図（ｕｖ色度図）から作図によって求める方法もあるが、本実施形態では、ＭｃＣａｍｙにより提案されている計算式により相関色温度を求めることにする。詳しくは、大田登著、「色彩光学」第２版、東京電機大学出版局、Ｐ．１１０を参照されたい。相関色温度算出部５０３は、まず、プリンタプロファイル入力部５０１が取得したプリンタプロファイルから、印刷用紙の地色（紙白）をＣＩＥ  ＸＹＺ表色系で表す色データを取得する。即ち、本実施形態のプリンタプロファイルは、使用する印刷用紙の地色をＣＩＥ  ＸＹＺ表色系で表す色データを含む。相関色温度算出部５０３は、取得した色データを、二次元の色度座標ｘｙにおけるデータに変換する。変換はｘ＝Ｘ／（Ｘ＋Ｙ＋Ｚ）、ｙ＝Ｙ／（Ｘ＋Ｙ＋Ｚ）により行われる。ここで、相関色温度Ｔは、以下のＭｃＣａｍｙの計算式により求められる。
【００５３】
Ｔ＝−４３７（ｎ＾３）＋３６０１（ｎ＾２）−６８６１ｎ＋５５１４．３１
ここで、
ｎ＝（ｘ−０．３３２０）／（ｙ−０．１８５８）
である。
【００５４】
なお、プリンタプロファイルに基づいて相関色温度を算出する代わりに、相関色温度算出部５０３が直接相関色温度を取得してもよい（第２取得手段）。即ち、使用する印刷用紙の地色の相関色温度が最終的に得られれば、具体的な取得方法は任意の方法でよい。
【００５５】
Ｓ４０３で、キャリブレーション設定値算出部５０４は、キャリブレーションパラメータ（Ｓ４０２で算出した相関色温度に対応する、ディスプレイ２０８の設定情報）を算出する。キャリブレーションパラメータは、前述の通り、ディスプレイ２０８の前面のパネル又は調整用ソフトウェアが表示するＵＩを用いて調整される、コントラスト、明るさ、ＲＧＢ各色のゲインなどを含む。
【００５６】
データ格納部５０２には、前述の通り、複数の相関色温度に対応する、カラーファイル及び設定情報が格納されている。ここでは、例えば、相関色温度を４０００Ｋ、５０００Ｋ、６５００Ｋ、７５００Ｋとしたときのデータがそれぞれ格納されているものとする。格納されているデータは、ディスプレイの経時変化を考慮して定期的な更新（再キャリブレーション及びディスプレイプロファイルの再作成）が行われることが好ましい。
【００５７】
Ｓ４０３において、キャリブレーション設定値算出部５０４は、データ格納部５０２（即ち、記憶部２０３）から、予め記憶されている複数のカラープロファイルそれぞれに対応する設定情報を取得する。そして、Ｓ４０２で算出した相関色温度に対応する、ディスプレイ２０８の設定情報を、データ格納部５０２から取得した設定情報で補間することにより算出する（第２算出手段）。例えば、データ格納部５０２のデータの相関色温度をＴ、設定情報の所定のパラメータ値をＹとすると、Ｙ＝ｆ（Ｔ）なる近似曲線（関数）を算出してキャリブレーションパラメータ（設定情報）を算出することができる。例えば、近似曲線はスプライン曲線によって実現するものとする。
【００５８】
Ｓ４０３ｂで、プロファイル作成部５０５は、複数の相関色温度に対応する複数のディスプレイプロファイルをデータ格納部５０２から取得する（第１取得手段）。
【００５９】
Ｓ４０４乃至Ｓ４１０で、プロファイル作成部５０５は、Ｓ４０２で算出した相関色温度に対応するディスプレイプロファイルを、Ｓ４０３ｂで取得した複数のディスプレイプロファイルで補間することにより算出する（第１算出手段）。以下、具体的に説明する。
【００６０】
Ｓ４０４で、プロファイル作成部５０５は、ディスプレイプロファイルの白色点を算出する。このディスプレイプロファイルの白色点も、Ｓ４０３と同様に、データ格納部５０２のデータの相関色温度Ｔとディスプレイプロファイルの白色点を変数とする近似曲線を算出して、キャリブレーション後のディスプレイの白色点を予測する。Ｓ４０５乃至Ｓ４０７で、プロファイル作成部５０５は、レッド（Ｒ）、グリーン（Ｇ）、ブルー（Ｂ）の相対ＸＹＺ値を算出する。Ｓ４０３と同様に近似曲線によりキャリブレーション後のＲ、Ｇ、ＢのＸＹＺ値を予測する。Ｓ４０８乃至Ｓ４１０は、プロファイル作成部５０５によって、Ｒ、Ｇ、Ｂのトーンカーブ（階調特性）を作成する。これもＳ４０３と同様に相関色温度Ｔとトーンカーブの各階調の出力値による近似曲線を算出し、キャリブレーション後のＲ、Ｇ、Ｂのトーンカーブを作成する。
【００６１】
Ｓ４１１で、プロファイル保存部５０６は、Ｓ４０４乃至Ｓ４１０で作成されたデータをＩＣＣプロファイルの規約に沿ったデータ形式に変換し、ディスプレイプロファイルを作成する。プロファイル保存部５０６は、作成したディスプレイプロファイルにファイル名を付けて、データ格納部５０２に保存する。これにより、一度作成したディスプレイプロファイルを再利用することが可能になる。
【００６２】
また、プロファイル保存部５０６は、保存されたディスプレイプロファイルはディスプレイ２０８に関連付けられたＩＣＣプロファイルであることをオペレーティングシステム（ＯＳ）に登録する。
【００６３】
Ｓ４１２で、キャリブレーション設定値表示部５０７は、Ｓ４０３で算出されたキャリブレーションパラメータをディスプレイ２０８に表示する。キャリブレーション設定値表示部５０７は、例えば、図７に示すような画面をディスプレイ２０８に表示させ、ディスプレイの設定（コントラスト、明るさ、ＲＧＢの個別のゲイン）を変更するようにユーザに促す。
【００６４】
なお、ＰＣ２０１がユーザの手を借りずに、Ｓ４０３で算出したキャリブレーションパラメータに従ってディスプレイ２０８を設定するように、ＰＣ２０１を構成してもよい。これにより、ユーザの負担が軽減できる。図８は、この場合の処理の流れを示すフローチャートである。図４のＳ４１２の代わりにＳ８０１が設けられ、Ｓ８０１で、ＰＣ２０１は、Ｓ４０３で算出したキャリブレーションパラメータに従ってディスプレイ２０８を設定する。
【００６５】
以上説明したように、本実施形態によれば、ＰＣ２０１は、カラープリンタ２０７で使用する印刷用紙の地色の相関色温度に応じて、ディスプレイ２０８のカラープロファイルを算出する。このとき、ＰＣ２０１は、予め生成された、基準となる複数のカラープロファイルを用いた補間処理を行うので、使用する印刷用紙を変更する度に測定器２０９を用いた測色を行う必要がない。
【００６６】
これにより、表示装置と印刷装置とをカラーマッチングさせる際に、使用する印刷用紙に応じた、表示装置のためのカラープロファイルをより容易に得ることが可能となる。
【００６７】
［その他の実施形態］
上述した各実施形態の機能を実現するためには、各機能を具現化したソフトウェアのプログラムコードを記録した記録媒体をシステム或は装置に提供してもよい。そして、そのシステム或は装置のコンピュータ（又はＣＰＵやＭＰＵ）が記録媒体に格納されたプログラムコードを読み出し実行することによって、上述した各実施形態の機能が実現される。この場合、記録媒体から読み出されたプログラムコード自体が上述した各実施形態の機能を実現することになり、そのプログラムコードを記録した記録媒体は本発明を構成することになる。このようなプログラムコードを供給するための記録媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００６８】
また、上述した各実施形態の機能を実現するための構成は、コンピュータが読み出したプログラムコードを実行することだけには限られない。そのプログラムコードの指示に基づき、コンピュータ上で稼動しているＯＳ（オペレーティングシステム）などが実際の処理の一部又は全部を行い、その処理によって上述した各実施形態の機能が実現される場合も含まれている。
【００６９】
更に、記録媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって上述した各実施形態の機能が実現される場合も含むものである。
【図面の簡単な説明】
【００７０】
【図１】ディスプレイプロファイルを作成するアプリケーションにおける一般的な作業の流れを示すフローチャートである。
【図２】本発明の情報処理装置をパーソナルコンピュータ（ＰＣ）に適用した実施形態を説明する図である。
【図３】第１の実施形態に係るＰＣを用いてディスプレイ上で画像データの修正（レタッチなど）を行い、カラープリンタで印刷する処理の流れを示すフローチャートである。
【図４】第１の実施形態に係るＰＣにおいて、カラープリンタで使用する印刷用紙に応じた、ディスプレイのカラープロファイルを生成する処理の流れを示すフローチャートである。
【図５】第１の実施形態に係るＰＣにおいて、ディスプレイキャリブレーション及びディスプレイプロファイル作成処理を実行する構成要素を示すブロック図である。
【図６】ユーザにプリンタプロファイルを選択させるための画面を示す図である。
【図７】ディスプレイの設定の変更をユーザに促す画面を示す図である。
【図８】第１の実施形態の変形例を説明するフローチャートである。
【符号の説明】
【００７１】
２０１  パーソナルコンピュータ（ＰＣ）
２０７  カラープリンタ
２０８  ディスプレイ
【図１】
0004933385.tif 000002
【図２】
0004933385.tif 000003
【図３】
0004933385.tif 000004
【図４】
0004933385.tif 000005
【図５】
0004933385.tif 000006
【図６】
0004933385.tif 000007
【図７】
0004933385.tif 000008
【図８】
0004933385.tif 000009